(57)【特許請求の範囲】
【請求項１】
上部デッキボードと下部デッキボードとを四隅とその中間及び中央部に設けた中空構造の支柱部で連結し、前記支柱部と上部デッキボード及び下部デッキボードで囲まれた空隙をフォーク差込口とし、上部デッキボードは、デッキボードの内側面にパレットの側面に対して平行な補強リブを設けてなり、下部デッキボードは、各支柱部を連結し全体が上方に湾曲した上板と、前記上板の下面にパレットの側面に対して平行な補強リブを設けてなり、前記下部デッキボードで囲まれた部分を開口部とし、前記中空構造の支柱部内に補強リブを設けてなる四方差しパレットにおいて、
前記支柱部内の溶着しない支柱壁補強リブを、支柱部間のデッキボードに設けた補強リブの延長線上に、支柱壁を介してフォーク差込口に面する支柱壁の直線部に設けてなり、前記支柱壁補強リブの高さは、支柱壁を介して対向する支柱部間のデッキボードに設けた補強リブの高さの１〜３倍であって支柱部内の溶着リブよりも低く、支柱壁補強リブの支柱壁からの突出長さを５〜１５ｍｍとし、前記下部デッキボード側における支柱壁補強リブは、四隅支柱部と中間支柱部を連結する下部デッキボードの中心線よりも内側の補強リブの延長線上に設けられ、中間支柱部と中央支柱部を連結する下部デッキボードの中心線を挟んで対称となる補強リブの延長線上に設けられており、さらに、前記支柱壁補強リブは、上部デッキボード及び下部デッキボードのそれぞれに対応しており、上下方向に並んで設けられていることを特徴とする合成樹脂製パレット。
【発明の詳細な説明】
【技術分野】
【０００１】
この発明は荷物の保管、運搬の際に使用する合成樹脂製パレットに係り、詳しくは、中空構造の支柱部の周壁のうち、特にフォーク差込口に面する部分の強度を向上せしめた合成樹脂製パレットに関する。
【背景技術】
【０００２】
一般に荷物の保管、運搬の際には、合成樹脂製パレットが多く使用されている。合成樹脂製パレットの多くは、上部デッキボードと下部デッキボードを中空構造の支柱部で連結している。前記支柱部は、前記デッキボードの両側端縁部及びそれらの中間部に配置することによって形成し、支柱部の間と上部デッキボード及び下部デッキボードで囲まれた空間をフォーク差込口とする。合成樹脂製パレットは、射出成型機によって一体に成形される場合でも、予め分割成型した部品を突き合わせて溶着成形する場合でも支柱部は中空構造にするのが一般的である。
【０００３】
そして、合成樹脂製パレットに荷物を積載して保管する際には、例えば平積み、段積み、あるいはラック積み等の積み重ね方法によって保管される。特に、パレットの両端部に台座を置いて支持するラック積みには、次のような問題がある。図１５は、ラック積みの一例を示す。
【０００４】
このようなラック積みにおいて、パレット１に荷物を載置して矢印の方向に荷重がかかると、パレット１全体としては、図１７に一点鎖線で示すように中央部が凹んで弓形に変形する。この変形状態を支柱部において見ると、図１８に示すように、デッキボードと支柱部のうちフォーク差込口２に面する部分がＳ字状に変形している。
【０００５】
すなわち、図１８に一点鎖線で示すように、パレット正面の左側支柱部において見ると、上部デッキボード４と支柱部５のフォーク差込口２に面する部分が支柱部５の内側に押し込まれるようにくの字状に変形し、下部デッキボード６と支柱部５のフォーク差込口に面する部分７が支柱部５の外側（フォーク差込口側）に引っ張られるように逆くの字状に変形することになる。このように、上部デッキボード４、下部デッキボード６の歪みによって中空支柱部５のフォーク差込口側がＳ字状に変形することになり、デッキボード全体の歪みは一層大きくなる。
【０００６】
このデッキボードの変形を防止する改善策として種々の方法が提案されており、例えば、支柱部の周壁全体の肉厚を厚くする方法、支柱部内に上下デッキボードの全高さに亘る溶着用のリブを周壁と一体に形成する方法、支柱部の周壁のうちデッキボードの高さの部分だけ肉厚にする方法等がある。
【特許文献１】特開平８−２６８４３０号公報
【特許文献２】特開平９−３９９６６号公報
【特許文献３】特開２００５−２１９７５５号公報
【発明の開示】
【発明が解決しようとする課題】
【０００７】
しかしながら、支柱部の周壁全体の肉厚を厚くする方法では、材料の使用量が大きくパレット全体の質量が重くなるという問題がある。材料を多く使用することはコストアップになるばかりでなく、肉厚にすることにより成型時の冷却時間が長くなり生産効率を低下させる。
【０００８】
また、支柱部内に支柱部の全高さに亘る溶着用のリブを周壁と一体に形成する方法では、材料の使用量が多くなり、パレット全体の質量が重くなるという問題がある。また、支柱部の周壁に対向するデッキボードの高さの部分だけ肉厚にする方法では、上記と同様にパレット全体の質量が重くなるという問題があるとともに、必ずしも十分な強度が得られないという問題がある。
【０００９】
そこで、この発明は上記課題を解決すべくなされたもので、材料の使用量が少なく軽量化を図りながらも十分な強度を有し、安全に荷物の保管、運搬ができる合成樹脂製パレットを提供することを目的とする。
【課題を解決するための手段】
【００１０】
上記目的を達成するために、この発明に係る合成樹脂製パレットは、上部デッキボードと下部デッキボードとを四隅とその中間及び中央部に設けた中空構造の支柱部で連結し、前記支柱部と上部デッキボード及び下部デッキボードで囲まれた空隙をフォーク差込口とし、上部デッキボードは、デッキボードの内側面にパレットの側面に対して平行な補強リブを設けてなり、下部デッキボードは、各支柱部を連結し全体が上方に湾曲した上板と、前記上板の下面にパレットの側面に対して平行な補強リブを設けてなり、前記下部デッキボードで囲まれた部分を開口部とし、前記中空構造の支柱部内に補強リブを設けてなる四方差しパレットにおいて、
前記支柱部内の溶着しない支柱壁補強リブを、支柱部間のデッキボードに設けた補強リブの延長線上に、支柱壁を介してフォーク差込口に面する支柱壁の直線部に設けてなり、前記支柱壁補強リブの高さは、支柱壁を介して対向する支柱部間のデッキボードに設けた補強リブの高さの１〜３倍であって支柱部内の溶着リブよりも低く、支柱壁補強リブの支柱壁からの突出長さを５〜１５ｍｍとし、前記下部デッキボード側における支柱壁補強リブは、四隅支柱部と中間支柱部を連結する下部デッキボードの中心線よりも内側の補強リブの延長線上に設けられ、中間支柱部と中央支柱部を連結する下部デッキボードの中心線を挟んで対称となる補強リブの延長線上に設けられており、さらに、前記支柱壁補強リブは、上部デッキボード及び下部デッキボードのそれぞれに対応しており、上下方向に並んで設けられていることを特徴とする。
【発明の効果】
【００１１】
この発明では、デッキボードの補強リブと支柱部内の支柱壁補強リブとを直線上に設け、フォーク差込口に面する支柱壁の直線部に設ける構成としたから、デッキボードの補強リブと支柱壁補強リブとが一体となって支柱壁の変形を防止することができる。また、前記支柱壁補強リブの高さを対向するデッキボードの補強リブの高さの１〜３倍とすることによって、最も効率的に支柱壁の変形を防止し、引いてはデッキボードの撓みを抑制することができる。また、前記支柱壁補強リブは、上部デッキボード及び下部デッキボードのそれぞれに上下方向で対向するように設けることによって、一層効果をあげることができる。
【発明を実施するための最良の形態】
【００１２】
以下に、この発明を図面に基づいて詳細に説明する。図１以下の図面はこの発明の実施形態を示すものであって、図１はパレットの右側半分の正面図、図２は下部デッキボードの４分の１の大きさを示す図１におけるＡ−Ａ線断面図である。合成樹脂製パレット１０は、上部デッキボード１１と下部デッキボード１３とを四隅の支柱部１５、その中間に設けた中間支柱部１７及び中央部に設けた中央支柱部１９で連結してなり、前記上部デッキボード１１、下部デッキボード１３と支柱部１５及び支柱部１７で囲まれた空隙をフォーク差込口２０とした四方差しパレットである。
【００１３】
前記合成樹脂製パレット１０は、予め支柱部１５，１７及び１９のそれぞれ高さの中間において二分割して成型したものを分割面で一体に溶着して組み立てられている。すなわち、四隅の支柱部１５は、上部デッキボード側を支柱部１５ａ、下部デッキボード側を支柱部１５ｂとなし、中間支柱部１７は、上部デッキボード側を支柱部１７ａ、下部デッキボード側を支柱部１７ｂとなし、中央支柱部１９は、上部デッキボード側を支柱部１９ａ、下部デッキボード側を支柱部１９ｂとしている。
【００１４】
下部デッキボード１３は、図２に示すように、四隅支柱部１５と中間支柱部１７とを連結する下部デッキボード１３ａと、中間支柱部１７と中央支柱部１９を連結する下部デッキボード１３ｂとによって梁状に形成されており、各下部デッキボードで囲まれた部分は、大きな開口部２１とされている。このように、開口部２１を設けることによってハンドリフトの使用が可能になる。下部デッキボード１３の各支柱部間においては、全体が上方に湾曲した上板２３と、前記上板２３の下面に設けられた補強リブ２５によって形成されている。
【００１５】
前記下部デッキボード１３ａにおいて、補強リブ２５は、側面に平行な外側補強リブ２５ａ、内側補強リブ２５ｂ及び中間補強リブ２５ｃと、側面に直交する補強リブ２５ｄによって格子状に設けられており、下面の接地面は水平に形成されている。上板２３は、外側補強リブ２５ａと内側補強リブ２５ｂの間に設けられており、全体としては上向きに湾曲している。
【００１６】
さらに、前記内側補強リブ２５ｂの開口部２１に面する内側には、水平な接地板２３ａが連設されており、前記接地板２３ａと内側補強リブ２５ｂとは、図５及び図７に示すように、断面Ｌ字状をなしている。前記接地板２３ａの上面には、内側補強リブ２５ｂに連結する三角形補強リブ２７が設けられている。このように、内側補強リブ２５ｂと接地板２３ａの下面を同一面となし、三角形補強リブ２７を設けることによって、ハンドリフトの出し入れが容易になるとともに、下部デッキボード１３ａを補強することになる。
【００１７】
さらに、側面に平行な外側補強リブ２５ａ、内側補強リブ２５ｂ及び中間補強リブ２５ｃと、前記四隅の支柱部１５及び中間支柱部１７内における補強リブとの関係を説明する。図２に示すように、前記外側補強リブ２５ａと四隅の支柱部１５の周壁外側面とは直線上において連結しており、中間補強リブ２５ｃと溶着リブ２９とは四隅の支柱部１５の周壁を介して直線上に形成されている。溶着リブ２９は、四隅の支柱部１５の全高さに亘って形成されており、その突合せ面において互いに溶着される。
【００１８】
前記四隅の支柱部１５及び中間支柱部１７の内側面には、内側補強リブ２５ｂの延長線上に支柱壁補強リブ３０が設けられている。支柱壁補強リブ３０は、この発明の特徴をなし、開口部２１側隅部において支柱壁１５，１７の耐屈曲性を補強するリブであって、四隅の支柱部１５及び中間支柱部１７の周壁を介して下部デッキボード１３ａに設けた内側補強リブ２５ｂの延長線上に設けられている。
【００１９】
前記支柱壁補強リブ３０の高さＨは、図７に示すように、前記支柱部１５，１７に連結するデッキボード１３ａの高さ寸法以上、即ち周壁を介して連結する内側補強リブ２５ｂの高さ以上であって溶着リブ２９よりも低く、好ましくは内側補強リブ２５ｂの高さの３倍とする。また、支柱壁補強リブ３０の支柱壁からの突出長さＬは、５〜１５ｍｍ、好ましくは８〜１２ｍｍとする。即ち、内側補強リブ２５ｂの高さをｈとし支柱壁補強リブ３０の高さをＨとすると、Ｈ＝ｈ〜３ｈとする。
【００２０】
前記、内側補強リブ２５ｂの高さｈと支柱壁補強リブ３０の高さＨとの関係は、支柱壁補強リブ３０の高さＨが内側補強リブ２５ｂの高さｈよりも低いと補強リブとしての作用を果たし得ないからであり、支柱壁補強リブ３０の高さＨが内側補強リブ２５ｂの高さｈの３倍以下とするのは、３倍以上としても材料の使用量に比して補強効果が得られないからである。
【００２１】
次に、中間支柱部１７及び中央支柱部１９の内側面に設けられている補強リブと下部デッキボードの補強リブとの関係について説明する。まず、中間支柱部１７と中央支柱部１９を連結している下部デッキボード１３ｂの補強リブ２５は、下部デッキボード１３ａと同じく側面に平行な補強リブ２５ａと側面に直交する補強リブ２５ｄによって格子状に設けられており、上板２３は、上向きに湾曲して形成されている。下部デッキボード１３ｂには、下部デッキボード１３ａに設けられている接地板２３ａは連設されていない。これは、ハンドリフトが乗り越えることがないから、下部デッキボード１３ｂの側端部を緩やかな傾斜面とする必要はないからである。
【００２２】
さらに、中間支柱部１７及び中央支柱部１９の内側面にも溶着リブ２９と支柱壁補強リブ３０が設けられている。前記支柱壁補強リブ３０は、中間支柱部１７及び中央支柱部１９の周壁を介して補強リブ２５ｅの延長線上に設けられている。即ち、中間支柱部１７と中央支柱部１９の内側面に設けられている支柱壁補強リブ３０は、パレットの長辺方向における下部デッキボード１３ｂでは、図２に示すように、開口部２１側の補強リブ２５ｂの延長線上に設けられており、パレットの短辺方向における下部デッキボード１３ｂでは、図２、図５及び図６に示すように、開口部２１側から３番目の補強リブ２５ｄの延長線上に設けられている。
【００２３】
パレットの長辺方向における下部デッキボード１３ｂの外側端の補強リブ２５ｅは、中間支柱部１７の周壁の外側面とは直線上に連結しており、中間支柱部１７及び中央支柱部１９内の支柱壁補強リブ３０は、補強リブ２５ｆの延長線上に設けるようにした。一方、パレットの短辺方向における下部デッキボード１３ｂは、断面長方形状に形成されていることから中間支柱部１７の隅部側を溶着リブ２９とし、中間支柱部１７及び中央支柱部１９内の支柱壁補強リブ３０は、開口部から３番目の補強リブ２５ｇの延長線上に設けた。下部デッキボード１３ｂが連結する中間支柱部１７及び中央支柱部１９内に設けた支柱壁補強リブ３０は、下部デッキボード１３ｂの中心線を挟んで対称に設けられている。
【００２４】
四隅支柱部１５と中間支柱部１７のフォーク差込み口側の周壁は、断面において湾曲面又はテーパー面を有している。フォーク差込口側はフォークの衝撃を受け易いところであるから溶着リブ２９を形成し、前記支柱壁補強リブ３０は、前記湾曲面又はテーパー面から直線に移行した直線部においてパレット内側方向の周壁内面に設けることが好ましい。また、下部デッキボード１３ｂ側の支柱壁補強リブ３０の高さは、連結するデッキボードの内側補強リブ２５ｅの高さ以上であって溶着リブ２９以下であり、好ましくは内側補強リブ２５ｅの高さの３倍以下とする。また、支柱壁補強リブ３０の突出長さは、種々の実験の結果５〜１５ｍｍ、好ましくは８〜１２ｍｍが最も効果的であり、５ｍｍ未満ではほとんど効果が得られず、１５ｍｍを超えると材料の使用量に比べて効果が上がらない。さらに、支柱補強リブ３０の幅寸法も種々の実験結果、補強リブ２５の幅寸法より大きくしても著しい効果が得られなかった。
【００２５】
このように、支柱壁補強リブ３０を溶着はしないが連結するデッキボードの補強リブよりも高く形成することによって材料を節減できるばかりでなく、溶着補強リブとほぼ同程度の強度が得られる。
【００２６】
図８〜図１０は、上部デッキボード１１側における構成を示す。上部デッキボード１１は、荷物を積載する面であるから、下部デッキボードのように開口部２１は設けられていない。全面が閉じた平滑面に形成されており、下面には、縦横に補強リブ３１が設けられている。
【００２７】
上部デッキボード１１は、図８に示すように、四隅支柱部１５と中間支柱部１７とを連結する上部デッキボード１１ａと、中間支柱部１７と中央支柱部１９を連結する上部デッキボード１１ｂの下面には、下部デッキボード１３ａ、１３ｂと同様に補強リブ２５が設けられている。補強リブ２５の構成は、下部デッキボードの場合と同様であるから、同一構成については同一符号を付してその説明を省略する。
【００２８】
また、支柱部１５ａ、１７ａ及び１９ａ内においても、支柱部１５ｂ、１７ｂ及び１９ｂと同様に溶着リブ２９と支柱壁補強リブ３０が設けられている。支柱部１５ａ、１７ａ及び１９ａ内の溶着リブ２９と支柱壁補強リブ３０と補強リブ２５との関係も下部デッキボード側の場合と同様であるからその説明は省略する。
【実施例】
【００２９】
次に、支柱壁補強リブをデッキボード下面の補強リブと直線上に設けた場合を実施例とし、支柱壁補強リブをデッキボード下面の補強リブと直線上においてずらして設けた場合を比較例として、以下に試験結果を示す。まず、試験には図１１〜図１４に示すように、パレットの一部を模したテストピースを作成し、それぞれについて曲げ試験をおこなった。
【００３０】
まず、テストピースＴは、四隅の支柱部となるブロック３０と中間支柱部となるブロック３１をそれぞれ上部デッキボード３３と下部デッキボード３５で連結することによって形成した。前記ブロック３０,３１は四周が閉じた箱型の中空体である。また、前記上部デッキボード３３は下面を開口させ、下部デッキボード３５は上面を開口させると共に、それぞれ幅方向に補強リブ３３ａ，３５ａを設けた。
【００３１】
前記構成において、ブロック３０とブロック３０の両端面の長さ寸法は８５０ｍｍである。前記ブロックは、高さ寸法を１４０ｍｍ、幅寸法と奥行き寸法を１５０ｍｍ、周壁の肉厚寸法を５ｍｍ、上面と下面の肉厚寸法を４ｍｍとした。上部デッキボード及び下部デッキボードは、長さ寸法を２００ｍｍ、奥行き方向の幅寸法を６０ｍｍ、高さ寸法を２５ｍｍとし、肉厚５ｍｍの補強リブを５０ｍｍ間隔で３列設けてなる。さらに、上部デッキボード及び下部デッキボードの側板の肉厚寸法を７ｍｍ、上部デッキボードの上板と下部デッキボードの下板の肉厚寸法を３ｍｍとした。上部デッキボード及び下部デッキボードは、ブロック３０，３０とブロック３１のそれぞれ中央部に連結されている。
【００３２】
ブロック３０，３１内には、肉厚寸法を４ｍｍ、突出長さ寸法を１０ｍｍで、高さ寸法を変化させた支柱壁補強リブ３７，３９を上部デッキボード３３側と下部デッキボード３５側にそれぞれ設けた。前記支柱壁補強リブ３７,３９は、支柱壁を介して上下部デッキボードに対向するようにブロック３０,３１内に設けられている。図１１〜図１３に示すように、支柱壁補強リブ３７は、上下部デッキボードの側板の延長線上であって支柱壁内面に２列に設けてなり、これを実施例とした。また、図１４に示すように、支柱壁補強リブ３９は、上下部デッキボードの側板の延長線上からずらして支柱壁内面に３列に設けてなり、これを比較例とした。実施例、比較例とも、前記支柱壁補強リブ３７,３９の長さを０ｍｍから７０ｍｍまで５ｍｍ間隔で形成した。
【００３３】
試験方法は、ＪＩＳ  Ｚ  ０６０２「平パレット試験方法」に準じて行った。即ち、ブロック３０,３０の下面に下面支持用材４０を置き、上部デッキボードに上面圧縮用材４１を置く。試験では、前記上面圧縮用材４１を中間部ロック３１の中心から１６２．５ｍｍの位置に置いた。上面圧縮用材４１に１００ｋｇの荷重を３０分間かけたときの中間部ロック３１の側面の撓み量を測定した。試験結果は、表１及び図１６に示すとおりである。
【００３４】
【表１】
0004931140.tif 000002
【００３５】
実施例、比較例とも支柱壁補強リブ３７,３９の高さが２５ｍｍまでは大きな変化はないが、支柱壁補強リブ３７の高さが３０ｍｍを超えると撓み量の抑制効果が表れ、支柱壁補強リブ３９の長さが３５ｍｍを超えると撓み量の抑制効果が表れることが分かる。特に、実施例では、支柱壁補強リブ３７の高さが３０ｍｍを超えると撓み量の抑制効果が顕著であって、比較例のほぼ３倍となっている。
【００３６】
上記結果から、支柱壁補強リブの高さは、上下部デッキボードの補強リブの高さ以上であり、３倍以上になると撓み量の抑制効果があまり伸びない反面、材料費が嵩むことを考慮すると、上限は３倍とすることが好ましい。
【図面の簡単な説明】
【００３７】
【図１】パレットの右半分の正面図である。
【図２】図１のＡ−Ａ線における下部デッキボード側を示す水平断面図である。
【図３】図２のＢ−Ｂ線における四隅支柱部の拡大断面図である。
【図４】図２のＢ−Ｂ線における中間支柱部の拡大断面図である。
【図５】図２のＣ−Ｃ線における中間支柱部の拡大断面図である。
【図６】図２のＣ−Ｃ線における中央支柱部の拡大断面図である。
【図７】四隅支柱部とデッキボードとの補強部の関係を示す断面斜視図である。
【図８】図１のＤ−Ｄ線における上部デッキボード側の下面を示す水平断面図である。
【図９】図８のＥ−Ｅ線における断面図である。
【図１０】図８のＦ−Ｆ線における断面図である。
【図１１】試験に用いたテストピースの一部を切り欠いた斜視図である。
【図１２】図１１のＧ−Ｇ線における右半分を断面した平面図である。
【図１３】左半分は図１２のＪ−Ｊ線における断面図であり、右半分は図１２のＫ−Ｋ線における断面図である。
【図１４】比較例を示し、図１２に対応する右半分を断面した平面図である。
【図１５】試験方法と撓み量を示す説明図である。
【図１６】試験結果を示すグラフである。
【図１７】ラック積におけるパレットの変形を示す説明図である。
【図１８】支柱部における変形を示す部分拡大断面図である。
【符号の説明】
【００３８】
１０：合成樹脂製パレット      
１１：上部デッキボード    
１３：下部デッキボード
１５：四隅の支柱部  
１５ａ：上部デッキボード側支柱部      
１５ｂ：下部デッキボード側を支柱部  
１７：中間支柱部      
１７ａ：上部デッキボード側支柱部  
１７ｂ：下部デッキボード側支柱部  
１９：中央支柱部  
１９ａ：上部デッキボード側支柱部  
１９ｂ：下部デッキボード側支柱部    
１９ｃ、１９ｄ、２０：フォーク差込口  
２１：開口部  
２３：下部デッキボードの上板    
２３ａ：接地版  
２５：補強リブ    
２５ａ：外側補強リブ    
２５ｂ：内側補強リブ    
２５ｃ：中間補強リブ    
２５ｄ：側面に直交する補強リブ
２７：三角形補強リブ  
２９：溶着リブ  
３０：支柱壁補強リブ
【図１】
0004931140.tif 000003
【図２】
0004931140.tif 000004
【図３】
0004931140.tif 000005
【図４】
0004931140.tif 000006
【図５】
0004931140.tif 000007
【図６】
0004931140.tif 000008
【図７】
0004931140.tif 000009
【図８】
0004931140.tif 000010
【図９】
0004931140.tif 000011
【図１０】
0004931140.tif 000012
【図１１】
0004931140.tif 000013
【図１２】
0004931140.tif 000014
【図１３】
0004931140.tif 000015
【図１４】
0004931140.tif 000016
【図１５】
0004931140.tif 000017
【図１６】
0004931140.tif 000018
【図１７】
0004931140.tif 000019
【図１８】
0004931140.tif 000020